(57)【特許請求の範囲】
【請求項１】
上下左右の枠材を組んでなり建物開口部に固定される枠体と、枠体に張設される網戸とからなり、
枠体を構成する上下もしくは左右の一対の枠材は、それぞれ内周方向に開口するガイド溝を備えるとともに、ガイド溝内に連通する切欠部を有しており、
網戸は、可撓性を有する網状体と、網状体の対向する一組の縁部にそれぞれ固定される網戸框とを備えており、
網戸の両網戸框が固定されていない縁部が、上下もしくは左右の一対の枠材のガイド溝に切欠部を介して挿入可能である
ことを特徴とする建具。
【発明の詳細な説明】
【技術分野】
【０００１】
建物開口部を開閉する障子の室内側に網戸が取り付けられる建具に関する。
【背景技術】
【０００２】
従来、窓等建具には、屋外から虫の侵入を防止するために網戸が装着されているが、例えば縦滑り窓等の室外側に張り出して開閉する窓種においては、網戸を障子の室外側に設置することができないため、網戸は障子の室内側に取り付けられていた。
このように網戸が障子の室内側に取り付けられている建具においては、障子を室内側から清掃することを可能にするために、窓枠に対して網戸を着脱自在に装着するのが一般的であった（特許文献１）。
【先行技術文献】
【特許文献】
【０００３】
【特許文献１】特開２００２−１８０７４９号公報
【発明の概要】
【発明が解決しようとする課題】
【０００４】
網戸を窓枠に対して着脱自在に構成するためには、網戸を窓枠の室内側に配置した係止具等によって係止して取付けることが考えられるが、係止具等が室内に露出するのでは意匠的に優れているとはいえず、係止具等をできるだけ窓枠と一体的にして意匠性を高めようとすると、係止具等に複雑な着脱機構を設ける必要がある。しかし、窓枠に対して網戸を着脱する作業は、それほど頻繁に行われるものではなく、例えば大掃除時に網戸を外すだけの一般使用者にとっては、窓枠と一体的となった着脱機構がかえってわかりにくく、また、窓枠と網戸外周との間に隙間があまり生じないので着脱作業がしづらく、誤って網戸を屋外に落下させてしまう可能性があった。
【０００５】
本発明は、上記の事情を鑑みたものであり、窓枠の障子の室内側に安全にかつ簡単に網戸を設置することができる建具を提供することを目的とする。
【課題を解決するための手段】
【０００６】
本発明は、上下左右の枠材を組んでなり建物開口部に固定される枠体と、枠体に張設される網戸とからなり、枠体を構成する上下もしくは左右の一対の枠材は、それぞれ内周方向に開口するガイド溝を備えるとともに、ガイド溝内に連通する切欠部を有しており、網戸は、可撓性を有する網状体と、網状体の対向する一組の縁部にそれぞれ固定される網戸框とを備えており、網戸の両網戸框が固定されていない縁部が、上下もしくは左右の一対の枠材のガイド溝に切欠部を介して挿入可能であることを特徴とする。
【発明の効果】
【０００７】
枠体に対する網戸の設置を簡単に、かつ、安全に行うことが可能となる。
【図面の簡単な説明】
【０００８】
【図１】本発明の実施形態に係る建具の外観面である。
【図２】本発明の実施形態に係る建具の縦断面図であり、（ａ）は全体縦断面図、（ｂ）は網戸の上部を取り付ける網戸上枠の縦断面図、（ｃ）は網戸の下部を取り付ける網戸下枠の縦断面図である。
【図３】本発明の実施形態に係る建具の横断面図であり、（ａ）は全体縦断面図、（ｂ）は網戸の右部を取り付ける網戸右枠の縦断面図、（ｃ）は網戸の左部を取り付ける網戸左枠の縦断面図である。
【図４】本発明の実施形態に係る建具の網戸を説明するための図であり、（ａ）は全体図、（ｂ）は網戸製造課程の網戸端部の横断面図、（ｃ）は網戸端部の横断面図である。
【図５】本発明の実施形態に係る建具の網戸と窓枠との関係を説明するための図であり、（ａ）は網戸の製造途中の下角部の斜視図であり、（ｂ）は窓枠の下枠の一部拡大斜視図である。
【図６】本発明の実施形態に係る建具の網戸と窓枠との関係を説明するための図であり、（ａ）は網戸の左右側縁の一部拡大図、（ｂ）は窓枠の縦枠と網戸の縦框の一部拡大斜視図である。
【図７】本発明の実施形態に係る建具において、網戸を窓枠に装着する方法を説明するための図であり、（ａ）は網戸装着前の窓枠と網戸の斜視図、（ｂ）は窓枠に対して網戸を装着する初期の段階における窓枠と網戸の斜視図である。
【図８】本発明の実施形態に係る建具において、網戸を窓枠に装着する方法を説明するための図であり、（ａ）は窓枠に対して網戸の装着が進んだ状態の窓枠と網戸の斜視図、（ｂ）は窓枠に対して網戸の装着が完了直前の状態の窓枠と網戸の外観正面図である。
【図９】本発明の実施形態に係る建具の網戸を窓枠に対して緊張状態で張設するための機構を説明するための図であり、（ａ）は窓枠に対して網戸を緊張させる前の網戸の正面図、（ｂ）は窓枠に対して網戸を緊張させる途中の網戸の正面図、（ｃ）は網戸を緊張させる途中の状態の引寄手段近傍の拡大図である。
【図１０】本発明の実施形態に係る建具の網戸を窓枠に対して緊張状態で張設するための機構を説明するための図であり、（ａ）は窓枠に対する網戸の張設が完了した状態の網戸の正面図、（ｂ）は窓枠に対する網戸の張設が完了した状態の引寄手段近傍の拡大図である。
【発明を実施するための形態】
【０００９】
（建具全体の構成）
本発明を、縦滑り出し窓の実施形態を用いて説明する。
本発明の実施形態に係る建具は、図１に示すように、上下枠１１，１２及び左右の縦枠１３，１４を四周に組んで成り、建物の開口部に固定される枠体１に対して、上下框２１，２２及び左右の縦框２３，２４を四周に組んでその内周にガラス等のパネルを配置してなる障子２を室外側に向けて開放する通常周知の縦滑り出し窓をその基本構成とするものであり、障子２の室内側には、網戸５が装着されている。
【００１０】
本実施形態の建具の枠体１を構成する各枠材は、図２，３に示すように、アルミ押し出し形材等からなる室外側金属枠と室内側金属枠とを樹脂製のブリッジにより連結し、両金属枠の室内に露出する部位に中空構造を有する樹脂枠が取付けられて構成されている。
具体的には、上枠１１は、室外側上金属枠１１１と室内側上金属枠１１２と両金属枠１１１，１１２を連結する上ブリッジ１１３及び上樹脂枠１１４により構成され、同様に、下枠１２は、室外側下金属枠１２１と室内側下金属枠１２２と下ブリッジ１２３及び下樹脂枠１２４により、左縦枠１３は、室外側左金属枠１３１と室内側左金属枠１３２と左ブリッジ１３３及び左樹脂枠１３４により、右縦枠１４は、室外側右金属枠１４１と室内側右金属枠１４２と右ブリッジ１４３及び右樹脂枠１４４により構成されている。
【００１１】
一方、本実施形態の建具の障子２を構成する各框材は、アルミ押し出し形材等からなる金属框の室内側に樹脂製の押縁を取付けて構成されている。
具体的には、上框２１は、上金属框枠２１１及び上樹脂押縁２１２により構成され、下框２２は、下金属框枠２２１及び下樹脂押縁２２２により構成され、左縦框２３は、左金属框枠２３１及び左樹脂押縁２３２により構成され、右縦框２４は、右金属框枠２４１及び右樹脂押縁２４２により構成されており、枠体１と障子２とによって、全体で断熱サッシを構成している。
【００１２】
そして、本実施形態の建具においては、枠体１の各樹脂枠に網戸５を装着するための各網戸枠が取付けられている。具体的には、上樹脂枠１１４に形成された取付部１１４ａに対して樹脂製の網戸上枠６１が取付けられ、同様に、下樹脂枠１２４に形成された取付部１２４ａに対して樹脂製の網戸下枠６２が取付けられ、左樹脂枠１３４に形成された取付部１３４ａに対して樹脂製の網戸左枠６３が取付けられ、右樹脂枠１４４に形成された取付部１４４ａに対して樹脂製の網戸右枠６４が取付けられることで、障子２の室内側に網戸５を装着するための網戸枠６が形成される。
【００１３】
図２（ｂ）に示すように、網戸上枠６１は、室外側壁部６１１ａ及び室内側中空壁６１１ｂとより構成される下方に開口する上ガイド溝６１１ｃを備える網戸上枠本体６１１と、網戸上枠本体６１１の上部に設けられた取付爪６１２とを備えており、取付爪６１２が上樹脂枠１１４の取付部１１４ａに係止することで、上枠１１に網戸用のガイドを形成することができる。
上ガイド溝６１１ｃを構成する室外側壁部６１１ａ及び室内側中空壁６１１ｂの下端はそれぞれ上ガイド溝６１１ｃの中心方向に向かって係止壁６１１ｄ，６１１ｅが延設されて、上ガイド溝６１１ｃの下方開口部は狭く形成されている。
【００１４】
図２（ｃ）に示すように、網戸下枠６２は、室外側壁部６２１ａ及び室内側壁部６２１ｂとより構成される上方に開口する下ガイド溝６２１ｃを備える網戸下枠本体６２１と、網戸下枠本体６２１から室内側に延設され下面に取付爪６２２ａを有する取付片部６２２とを備えており、取付爪６２２ａが下樹脂枠１２４の取付部１２４ａに係止することで、下枠１２に網戸用のガイドを形成することができる。
下ガイド溝６２１ｃを構成する室外側壁部６２１ａ及び室内側壁部６２１ｂの上端はそれぞれ下ガイド溝６２１ｃの中心方向に向かって係止壁６２１ｄ，６２１ｅが延設されて、下ガイド溝６２１ｃの上方開口部は狭く形成されている。
【００１５】
図３（ｂ）に示すように、網戸右枠６４は、室外側壁部６４１ａ及び室内側中空壁６４１ｂとより構成される内周に開口する収納溝６４１ｃを備える網戸右枠本体６４１と、網戸右枠本体６４１の外周に設けられた取付爪６４２とを備えており、取付爪６４２が左右の右樹脂枠１４４の取付部１４４ａに係止することで、右の縦枠１４に網戸用の装着部を形成することができる。
なお、網戸左枠６３の構成は、図３（ｃ）に示すように、網戸右枠６４と略同一であるので、網戸左枠６３についての詳細な説明は省略する。
【００１６】
（網戸の構造）
本実施形態の建具に装着される網戸５は、図４（ａ）に示すように、可撓性を有する網状体５１と、網状体５１の左右両側辺に固定される左、右網戸縦框５３，５４とから構成されている。
網状体５１は、その上下の縁部に例えばワイヤー等によって上下の膨張部５１ａ，５１ｂが形成されるとともに、図４（ｂ）に示すように、網状体５１の左右の縁部が塩化ビニール等の平板５１１，５１２によって挟まれて固定されることにより、剛性を備える左右側縁部が形成される。
【００１７】
網状体５１の左辺に配置される平板５１１，５１２の上方及び下方には、上ガイドブロック５１３及び下ガイドブロック５１４が設けられており、また、網状体５１の右辺に配置される平板５１１，５１２の上方及び下方には、上ガイドブロック５１５及び下ガイドブロック５１６が設けられている。図５（ａ）で右辺の下ガイドブロック５１６で例示するように、上ガイドブロック５１３，５１５及び下ガイドブロック５１４，５１６は、高さ方向略中央位置にくびれ部５１３ｂ，５１４ｂ，５１５ｂ，５１６ｂ（図示は、「５１６ｂ」のみ。）を有しており、網戸上枠６１及び網戸下枠６２の上、下ガイド溝６１１ｃ，６２１ｃに挿入する頭部５１３ａ，５１４ａ，５１５ａ，５１６ａが形成されている。
【００１８】
そして、くびれ部５１３ｂ，５１４ｂ，５１５ｂ，５１６ｂの幅寸法は、網戸上枠６１及び網戸下枠６２に形成される上、下ガイド溝６１１ｃ，６２１ｃの両係止壁６１１ｄ，６１１ｅ，６２１ｄ，６２１ｅの間隔よりも小さく形成されており、上、下ガイドブロック５１３，５１４、５１５，５１６の頭部５１３ａ，５１４ａ，５１５ａ，５１６ａの幅寸法、及び、網状体５１の上又は下の縁部に形成される上下の膨張部５１ａ，５１ｂの直径は、網戸上枠６１及び網戸下枠６２に形成される上、下ガイド溝６１１ｃ，６２１ｃの両係止壁６１１ｄ，６１１ｅ，６２１ｄ，６２１ｅの間隔よりも大きく形成されている。
さらに、上下の膨張部５１ａ，５１ｂは、上、下ガイドブロック５１３，５１４、５１５，５１６の頭部５１３ａ，５１４ａ，５１５ａ，５１６ａの高さ位置と略同じ高さ位置か、やや外方（上ガイドブロック５１３，５１５においては上方、下ガイドブロック５１４，５１６においては下方）となるように配置されている。
【００１９】
図４（ｂ）に示すように、（右）網戸縦框５４は、内周方向に開口して上下に延びる挿入溝５４１ｃを備える（右）網戸縦框本体５４１と、挿入溝５４１ｃの室内側内周端から室内側に延設される引寄片５４２とから構成されており、引寄片５４２には、網戸５を網戸右枠６４に引き寄せるための引寄手段７が上下動自在に設けられている。
そして、網状体５１の平板５１１，５１２によって挟まれた（右）側縁部が、（右）網戸縦框５４の挿入溝５４１ｃに圧入されることにより、網状体５１の右側辺に（右）網戸縦框５４が固定される。
なお、左網戸縦框５３の構成及び網状体５１への取付方法については、右網戸縦框５４のそれと略同一であるので、左網戸縦框５３についての詳細な説明は省略する。
【００２０】
（網戸の装着方法）
本実施形態において、網戸５を建具の枠体１に装着する方法を説明する。
枠体１の上枠１１及び下枠１２の内周には上、下ガイド溝６１１ｃ，６２１ｃを備える網戸上枠６１及び網戸下枠６２が配置されており、図５（ｂ）に示すように、網戸下枠６２の下ガイド溝６２１ｃを構成する室外側壁部６２１ａの左右方向一側寄りの部分が切欠かれて切欠部６２ａが形成されている。なお、網戸上枠６１の上ガイド溝６１１ｃについても、同様に、室外側壁部６１１ａに切欠部６１ａが形成されている。
一方、網戸５の左右両側辺に固定される左、右網戸縦框５３，５４の上方位置及び下方位置には、頭部５１３ａ，５１４ａ，５１５ａ，５１６ａを有する上ガイドブロック５１３，５１５及び下ガイドブロック５１４，５１６が設けられているとともに、網戸５の網状体５１の上下辺には膨張部５１ａ，５１ｂが形成されている（図４（ａ），図７（ａ））。
【００２１】
そして、図７（ｂ）に示すように、網戸上枠６１及び網戸下枠６２に形成された上下の切欠部６１ａ，６２ａより、網戸５の左網戸縦框５３の上下端部に設けられた上ガイドブロック５１３及び下ガイドブロック５１４の頭部５１３ａ，５１４ａを切欠部６１ａ，６２ａの左側に開放する上、下ガイド溝６１１ｃ，６２１ｃに挿入させるとともに、網戸５の可撓性を利用して網状体５１を撓ませて、右網戸縦框５４の上下端部に設けられた上ガイドブロック５１５及び下ガイドブロック５１６の頭部５１５ａ，５１６ａを切欠部６１ａ，６２ａの右側に開放する上、下ガイド溝６１１ｃ，６２１ｃに挿入する。
【００２２】
その後、左、右網戸縦框５３，５４を左右にスライドさせることにより、切欠部６１ａ，６２ａの左右両側に連続する上、下ガイド溝６１１ｃ，６２１ｃ内を、上ガイドブロック５１３，５１５の頭部５１３ａ，５１５ａ及び下ガイドブロック５１４，５１６の頭部５１４ａ，５１６ａが案内されてスライド移動するとともに、各頭部５１３ａ，５１４ａ，５１５ａ，５１６ａに連続する膨張部５１ａ，５１ｂが上、下ガイド溝６１１ｃ，６２１ｃ内に挿入される。
このとき、左、右網戸縦框５３，５４の上下端部に設けられる頭部５１３ａ，５１４ａ，５１５ａ，５１６ａ及び網状体５１の上下の膨張部５１ａ，５１ｂは、網戸上枠６１及び網戸下枠６２の上、下ガイド溝６１１ｃ，６２１ｃの両係止壁６１１ｄ，６１１ｅ，６２１ｄ，６２１ｅの間隔よりも大きく設定され、網戸５の上下端が上、下ガイド溝６１１ｃ，６２１ｃから抜け出ることを防止する幅広部として構成され、網状体５１の上下縁が網戸上枠６１及び網戸下枠６２の上、下ガイド溝６１１ｃ，６２１ｃから抜け出ることがなく、網戸５の上下に隙間が生じるのを防止することができる（図８（ａ））。
また、網状体５１の上下の膨張部５１ａ，５１ｂは、上、下ガイドブロック５１３，５１４、５１５，５１６の頭部５１３ａ，５１４ａ，５１５ａ，５１６ａの高さ位置と略同じ高さ位置か、やや外方（上ガイドブロック５１３，５１５においては上方、下ガイドブロック５１４，５１６においては下方）となるように配置されているので、可撓性を有する網状体５１の上下の膨張部５１ａ，５１ｂを上、下ガイド溝６１１ｃ，６２１ｃに対してスムーズに挿入することができる。
【００２３】
その後、左網戸縦框５３の左網戸縦框本体５３１を網戸左枠６３の網戸左枠本体６３１の収納溝６３１ｃに挿入して収納するとともに、図８（ｂ）に示すように、右網戸縦框５４を上、下ガイド溝６１１ｃ，６２１ｃに沿ってさらにスライドさせることにより、可撓性を有する網戸５を枠体１の網戸枠６の内周に徐々に展開して、右網戸縦框５４の右網戸縦框本体５４１を網戸右枠本体６４１の収納溝６４１ｃ内に挿入して、網戸５が張設される。
【００２４】
（網戸の張設手段）
上記のように、枠体１に網戸５が張設され、左、右網戸縦框５３，５４の左、右網戸縦框本体５３１，５４１が網戸左枠６３及び網戸右枠６４の収納溝６３１ｃ，６４１ｃ内に挿入された状態では、図３（ｂ），（ｃ）で示すように、収納溝６３１ｃ，６４１ｃへの左、右網戸縦框５３，５４の左、右網戸縦框本体５３１，５４１の挿入抵抗により網戸５は張設状態を維持することができる。
しかし、強風等の外力を受けることによって収納溝６３１ｃ，６４１ｃに対する左、右網戸縦框本体５３１，５４１の挿入が徐々に緩み、網戸５の網状体５１にたわみ等が発生することがある。
そこで、本実施形態の建具の網戸５には、網戸５の張設状態を良好に維持するための引寄手段７が設けられている。
【００２５】
左、右網戸縦框５３，５４の左、右網戸縦框本体５３１，５４１が網戸左枠６３及び網戸右枠６４の収納溝６３１ｃ，６４１ｃ内に挿入された状態において、左、右網戸縦框５３，５４の引寄片５３２，５４２と対向する網戸左枠６３及び網戸右枠６４の室内側中空壁６３１ｂ，６４１ｂの内周壁６３１ｄ，６４１ｄには、図６（ｂ）で例示するように、内周壁６３１ｄ，６４１ｄを貫通する係合孔６３１ｅ，６４１ｅが設けられている。
【００２６】
一方、左、右網戸縦框５３，５４の引寄片５３２，５４２の係合孔６３１ｅ，６４１ｅに対向する位置には、引寄手段７が設けられている。図６（ａ）で例示するように、引寄手段７は、引寄片５３２，５４２から外周方向に向かって延設し、その後上方に屈曲する引寄部７１と、引寄部７１を引寄片５３２，５４２に固定するための裏板部７２とから構成されており、引寄片５３２，５４２に対して上下動自在に設けられている。引寄部７１の上方に屈曲している部位の引寄片５３２，５４２に対向する辺は上方から下方に行くに従って引寄片５３２，５４２に近接する、すなわち左、右網戸縦框５３，５４の長手方向に対して内外周方向に変位する傾斜面７１ａとなっており、傾斜面７１ａに連続して係合部７１ｂが形成されている。また、傾斜面７１ａに段差部７１ｃを形成してある。
【００２７】
そして、網戸左枠６３及び網戸右枠６４の収納溝６３１ｃ，６４１ｃに網戸５の左、右網戸縦框５３，５４を挿入することにより、図９（ａ）に示すように、係合孔６３１ｅ，６４１ｅに引寄部７１が挿入される。この状態で、引寄手段７を上方に操作することにより、図９（ｂ）に示すように、網戸左枠６３及び網戸右枠６４の係合孔６３１ｅ，６４１ｅの上辺裏面の内周壁部分６３１ｄ、６４１ｄを被当接部として引寄手段７の引寄部７１の傾斜面７１ａが内周側から当接し、引寄手段７を上方へ操作するにしたがって、左、右網戸縦框５３，５４が網戸左枠６３及び網戸右枠６４に徐々に引き寄せられる。
最終的には、図１０に示すように、網戸左枠６３及び網戸右枠６４の係合孔６３１ｅ，６４１ｅの上辺を引寄手段７の引寄部７１の係合部７１ｂに係合させることにより、枠体１に対して可撓性を有する網戸５を緊張させた状態で、隙間無く張設することが出来る。
なお、網戸５の幅寸法によっては、必ずしも網戸左枠６３及び網戸右枠６４の係合孔６３１ｅ，６４１ｅの上辺に対して引寄手段７の係合部７１ｂが係合する必要はなく、引寄手段７の引寄部７１の傾斜面７１ａに対して係合孔６３１ｅ，６４１ｅの上辺裏面の内周壁部分６３１ｄ、６４１ｄを当接させた状態で網戸５を緊張状態に張設することもできる。
【００２８】
以上のように、本実施形態においては、網戸が可撓性を有する網状体の左右両端に網戸縦枠が固定されたものであるから、網戸を巻き取って収納でき、梱包がコンパクトで輸送に有利である。
そして、網戸５の上下辺部が枠体１を構成する上下枠１１，１２の上、下ガイド溝６１１ｃ，６２１ｃ内に外れることなく確実に挿入され保持されるので、枠体１に対して、可撓性を有する網戸５を簡単に設置し、簡単に取り外すことができる。
また、網戸５を枠体１から完全に取り外さなくても左、右網戸縦框５３，５４を少しずらすことによって障子２のガラス等パネルの清掃を行うことができ、誤って網戸を落下させることなどを防止できる。
さらに、網戸の左、右網戸５の左、右網戸縦框５３，５４が枠体１の左右縦枠１３，１４の収納溝６３１ｃ，６４１ｃ内に収納された状態で左、右網戸縦框５３，５４を左右縦枠１３，１４に引き寄せることができるので、網戸５の左、右網戸縦框５３，５４と収納溝６３１ｃ，６４１ｃとの係合が緩んで、網戸５の側端に隙間が生じることを防止することができる。
【００２９】
また、引寄手段７の傾斜面７１ａに段差部７１ｃを形成することにより、段階的に張力が変化するように構成することができるとともに、張設状態を安定させることができる。
【符号の説明】
【００３０】
１        ：枠体
１１      ：上枠
１２      ：下枠
１３      ：縦枠
１３      ：左縦枠
１４      ：右縦枠
２        ：障子
２１      ：上框
２２      ：下框
２３      ：左縦框
２４      ：右縦框
５        ：網戸
５１      ：網状体
５１ａ    ：膨張部
５１ｂ    ：膨張部
５１１    ：平板
５１２    ：平板
５１３    ：上ガイドブロック
５１３ａ  ：頭部
５１４    ：下ガイドブロック
５１４ａ  ：頭部
５１５    ：上ガイドブロック
５１５ａ  ：頭部
５１６    ：下ガイドブロック
５１６ａ  ：頭部
５３      ：左網戸縦框
５３１    ：左網戸縦框本体
５４      ：右網戸縦框
５４１    ：右網戸縦框本体
５４２    ：引寄片
６        ：網戸枠
６１      ：網戸上枠
６１ａ    ：切欠部
６１１    ：網戸上枠本体
６１１ａ  ：室外側壁部
６１１ｂ  ：室内側中空壁
６１１ｃ  ：上ガイド溝（ガイド溝）
６１１ｄ  ：係止壁
６１１ｅ  ：係止壁
６１２    ：取付爪
６２      ：網戸下枠
６２ａ    ：切欠部
６２１    ：網戸下枠本体
６２１ａ  ：室外側壁部
６２１ｂ  ：室内側壁部
６２１ｃ  ：下ガイド溝（ガイド溝）
６２１ｄ  ：係止壁
６２１ｅ  ：係止壁
６２２    ：取付片部
６２２ａ  ：取付爪
６３      ：網戸左枠
６３１    ：網戸左枠本体
６３１ｂ  ：室内側中空壁
６３１ｃ  ：収納溝
６３１ｄ  ：内周壁（被当接部）
６３１ｅ  ：係合孔
６４      ：網戸右枠
７        ：引寄手段
７１      ：引寄部
７１ａ    ：傾斜面
７２      ：裏板部
【図１】
0006559052.tif 000002
【図２】
0006559052.tif 000003
【図３】
0006559052.tif 000004
【図４】
0006559052.tif 000005
【図５】
0006559052.tif 000006
【図６】
0006559052.tif 000007
【図７】
0006559052.tif 000008
【図８】
0006559052.tif 000009
【図９】
0006559052.tif 000010
【図１０】
0006559052.tif 000011